Podtech/llm-jp-corpus-v4-ja_patent huggingface dataset:
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
底板パネルであって、前記底板パネルは、
スチームアイロンヘッドからの蒸気が放出されるアイロンプレートと、
基礎壁体と前記底板パネル上のカバーとを持つ本体であって、前記基礎壁体と前記カバーとは、前記基礎壁体と前記カバーとの間に延在する外側壁及び内側壁により分離されて、非サイクロン第一スチーム流路部とサイクロン第二スチーム流路部を有するスチーム通過経路を定義する、本体と、
を含み、
前記非サイクロン第一スチーム流路部は、前記スチーム取り入れ口と、前記第二スチーム流路部との間の非サイクロンの屈曲した流路を形成し、前記屈曲した流路は、バッフルとして機能する前記内側側壁により形成され、前記バッフルは、前記バッフルのまわりの迷路状経路に沿って、前記基礎壁体及び前記カバーと平行なままである方向に、前記非サイクロン第一スチーム流路部を通る流体を方向付け、前記サイクロン第二スチーム流路部は、前記非サイクロン第一スチーム流路部と、前記アイロンプレートとの間のサイクロン流路を形成する、スチームアイロンヘッド。
【請求項２】
前記スチーム通過経路を熱するよう構成されたヒーターを更に有する、請求項１に記載のスチームアイロンヘッド。
【請求項３】
前記ヒーターは、前記スチーム通過経路を、少なくとも１００℃以上に保持するよう構成された、請求項２に記載のスチームアイロンヘッド。
【請求項４】
前記サイクロン第二スチーム流路部がサイクロン室を備える、請求項１乃至３のいずれか一項に記載のスチームアイロンヘッド。
【請求項５】
前記サイクロン室は、基部および前記基部に延在した、円錐台形状の周辺側壁を備える、請求項４に記載のスチームアイロンヘッド。
【請求項６】
前記スチーム通過経路は、スチームが前記基部に対しておよそ５度の角度で、前記サイクロン室に流入するよう構成された、請求項５に記載のスチームアイロンヘッド。
【請求項７】
前記サイクロン第二スチーム流路部は更に、スチームが前記サイクロン室に接線方向で流入するよう構成された、サイクロン室入口を更に有する、請求項４乃至６のいずれか一項に記載のスチームアイロンヘッド。
【請求項８】
前記サイクロン第二スチーム流路部は更に、前記サイクロン室入口の遠位端にサイクロン室出口を有する、前記サイクロン室内に立ち上がった導管を更に含む、請求項４乃至７のいずれか一項に記載のスチームアイロンヘッド。
【請求項９】
前記スチーム通過経路は更に、前記非サイクロン第一スチーム流路部と、前記サイクロン第二スチーム流路部との間に、中間スチーム流路部を有し、前記サイクロン第二スチーム流路部に流入するスチーム流の速度が、前記非サイクロン第一スチーム流路部内のスチーム流の速度よりも大きくなるように、前記中間スチーム流路部の少なくとも一部が、前記非サイクロン第一スチーム流路部の流路面積よりも小さい流路面積を有する、請求項１乃至８のいずれか一項に記載のスチームアイロンヘッド。
【請求項１０】
前記底板パネルは更に、前記サイクロン第二スチーム流路部と、前記アイロンプレートとの間に、排出流路を更に有する、請求項１乃至９のいずれか一項に記載のスチームアイロンヘッド。
【請求項１１】
請求項１に記載のスチームアイロンヘッドを有する、スチームシステムアイロン。
【請求項１２】
スチーム生成器および、前記スチームアイロンヘッドと、前記スチーム生成器を流体的に連通するホースを有するベースユニットを更に含む、請求項１１に記載のスチームシステムアイロン。
【誤訳訂正書】
【提出日】令和1年10月1日(2019.10.1)
【誤訳訂正１】
【訂正対象書類名】特許請求の範囲
【訂正対象項目名】全文
【訂正方法】変更
【訂正の内容】
【特許請求の範囲】
【請求項１】
患者の次の検査に関する理由を予測するシステムであって、
前記患者の臨床データを含む１つ又は複数の臨床文書を格納する臨床データベースと、
前記臨床データを検出するため、前記臨床文書を処理する自然言語処理エンジンと、
内部データ構造及び／又はオントロジーに対して、前記臨床データを意味論的に正規化する正規化エンジンと、
前記正規化された臨床データに基づき、患者の病歴又は症状を表す検査に関する既知の理由のセットから関連する情報へのマッピングを生成するパターン認識エンジンと、
前記患者の次の検査に関する理由に関する予測を前記マッピングから生成する予測エンジンとを有する、システム。
【請求項２】
前記パターン認識エンジンが、意味論的に正規化された臨床データのセットに関して訓練され、意味論的に正規化された患者の病歴のセットが与えられると、将来の検査に関する理由を予測するために問い合わせられる、請求項１に記載のシステム。
【請求項３】
前記患者の次の検査に関する理由に関する前記予測を含む表示を生成する臨床インタフェースエンジンを更に含む、請求項１又は２に記載のシステム。
【請求項４】
前記関連する情報が、前記検査に関する理由に関する尤度及び時間スパン情報の少なくとも１つを含む、請求項１乃至３のいずれか一項に記載のシステム。
【請求項５】
前記マッピングが、前記臨床データ及び統計モデルを利用して実行される、請求項１乃至４のいずれか一項に記載のシステム。
【請求項６】
ユーザインタフェースが、関連する時間スパンにわたる尤度を示す少なくとも１つの追加的な情報を含む、請求項１乃至５のいずれか一項に記載のシステム。
【請求項７】
ユーザインタフェースが、前記予測に関するインパクトを見るため、ユーザが前記正規化された臨床データの変数を追加及び削除することを可能にし、前記変数の新しいセットに基づき、前記予測の再計算がトリガーされる、請求項１乃至６のいずれか一項に記載のシステム。
【請求項８】
患者の次の検査に関する理由を予測する方法において、
前記患者の臨床データを含む１つ又は複数の臨床文書を格納するステップと、
前記臨床データを検出するため、前記臨床文書を処理するステップと、
内部データ構造及び／又はオントロジーに対して、前記臨床データを意味論的に正規化するステップと、
前記正規化された臨床データに基づき、患者の病歴又は症状を表す検査に関する既知の理由のセットから関連する情報へのマッピングを生成するステップと、
前記患者の次の検査に関する理由に関する予測を前記マッピングから生成するステップとを有する、方法。
【請求項９】
前記患者の次の検査に関する理由に関する前記予測を含む表示を生成するステップを更に有する、請求項８に記載の方法。
【請求項１０】
前記関連する情報が、前記検査に関する理由に関する尤度及び時間スパン情報の少なくとも１つを含む、請求項８又は９に記載の方法。
【請求項１１】
ユーザインタフェースが、関連する時間スパンにわたる尤度を示す少なくとも１つの追加的な情報を含む、請求項８乃至１０のいずれか一項に記載の方法。
【請求項１２】
ユーザインタフェースが、前記予測に関するインパクトを見るため、ユーザが前記正規化された臨床データの変数を追加及び削除することを可能にする、請求項１０又は１１に記載の方法。
【誤訳訂正２】
【訂正対象書類名】明細書
【訂正対象項目名】００２６
【訂正方法】変更
【訂正の内容】
【００２６】
意味論的に正規化された変数のベクトルと認められるので、統計方法は、一方で患者実態的人口統計学、イベント、以前の診断、医療介入及び他のタイプの臨床状態と、他方で検査に関する理由との間の病歴における依存パターンを検出するために用いられることができる。パターン認識エンジン３４は、特定の時間インターバルをつなぐ依存パターンに関心がある。例えば、ＨＩＶ及び現在のＸ線の既知の状態が与えられると、患者が、現在の検査から８週内に咳及び腹痛を表す確率が６０％ある。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
複数のＸ線変換格子を有する位相コントラスト撮像及び／又は暗視野撮像のための分析格子であって、
前記Ｘ線変換格子は入射Ｘ線放射線を光又は電荷に変換し、
前記複数のＸ線変換格子は、少なくとも第１Ｘ線変換格子及び第２Ｘ線変換格子を有し、
前記Ｘ線変換格子は、各々、格子バーのアレイを有し、
各Ｘ線変換格子内の前記格子バーは、入射Ｘ線放射線に直交する方向において、２つの隣接する格子バーの中心線の間の距離である固有の変位ピッチで互いから変位されて配置され、
前記第１Ｘ線変換格子の格子バーは、前記第２Ｘ線変換格子の格子バーから、前記入射Ｘ線放射線に直交する方向において互いに変位されて配置され、
前記第１Ｘ線変換格子及び前記第２Ｘ線変換格子は２つの検出器の間に配置され、これら検出器は各Ｘ線変換格子により変換された光又は電荷を検出する、
分析格子。
【請求項２】
前記第１Ｘ線変換格子の格子バーが、前記第２Ｘ線変換格子の格子バーから、入射Ｘ線放射線に直交する方向において、前記Ｘ線変換格子の数により除算された前記変位ピッチで互いに変位されて配置される、請求項１に記載の分析格子。
【請求項３】
前記第１Ｘ線変換格子及び前記第２Ｘ線変換格子が、入射Ｘ線放射線に平行な方向において部分的に重なり合う、請求項１又は請求項２に記載の分析格子。
【請求項４】
前記Ｘ線変換格子が入射Ｘ線放射線に平行な方向においてスペーサにより互いに隔てられる、請求項１又は請求項２に記載の分析格子。
【請求項５】
前記第１Ｘ線変換格子及び前記第２Ｘ線変換格子は入射Ｘ線放射線に直交する方向において実質的に隣り合わせで配置され、前記Ｘ線変換格子は反射器壁を有し、前記Ｘ線変換格子の入射Ｘ線放射線に平行な方向における千鳥配列が、前記第１Ｘ線変換格子の上面側に配置されると共に下面側において省略される反射器壁により、且つ、前記第２Ｘ線変換格子の下面側に配置されると共に上面側において省略される反射器壁により実施される、請求項１又は請求項２に記載の分析格子。
【請求項６】
前記複数のＸ線変換格子が第３Ｘ線変換格子を更に有し、これら３つのＸ線変換格子における各Ｘ線変化格子の格子バーが他の２つのＸ線変換格子の格子バーから前記変位ピッチの三分の１で互いに変位されて配置される、請求項１に記載の分析格子。
【請求項７】
前記格子バーの少なくとも幾つかが入射Ｘ線放射線に平行な方向で見て不連続な断面を備える、請求項１ないし６の何れか一項に記載の分析格子。
【請求項８】
前記Ｘ線変換格子が、CsI:T1, Ce添加ペロブスカイト, セリウム添加(イットリウム - ガドリニウム - ルテチウム)系(ガリウム - アルミニウム)ガーネット, ビスマス・ゲルマニウム塩, イットリウム・ガドリニウム酸化物, Eu3+が添加されたY, Gd及び／又はLuの固溶体, CsI:Na, NaI:TI並びにSrI2の群から選択される少なくとも１つの材料から形成される、請求項１ないし７の何れか一項に記載の分析格子。
【請求項９】
前記第１Ｘ線変換格子は直接変換陽極を形成する一方、前記第２Ｘ線変換格子は直接変換陰極を形成し、前記第２Ｘ線変換格子の格子バーが検出器のための共通陰極を形成するために相互接続される、請求項１又は請求項２に記載の分析格子。
【請求項１０】
前記直接変換陽極及び前記直接変換陰極が、電気的に絶縁された壁により互いに分離された同一の材料から形成される、請求項９に記載の分析格子。
【請求項１１】
請求項１ないし１０の何れか一項に記載の分析格子及び該分析格子のＸ線変換格子により変換された光又は電荷を検出する少なくとも１つの検出器を有する、位相コントラスト撮像及び／又は暗視野撮像のための検出器装置。
【請求項１２】
Ｘ線源と、
請求項１１に記載の検出器装置と、
を有し、前記Ｘ線源が前記検出器装置により検出されるべき関心被検体にＸ線放射線を供給する、Ｘ線撮像システム。
【請求項１３】
分析格子を製造する方法であって、
複数のウェファを構造化して、各ウェファに格子バーのアレイを得るステップと、
前記格子バーの間の空間をＸ線変換材料で充填して、請求項１ないし１０の何れか一項に記載の分析格子を形成する複数のＸ線変換格子を得るステップと、
を有する、方法。
【請求項１４】
前記構造化及び充填が前記ウェファの第１側のみから実行され、前記構造化がエッチングを有する、請求項１３に記載の方法。
【誤訳訂正書】
【提出日】令和1年6月20日(2019.6.20)
【誤訳訂正１】
【訂正対象書類名】明細書
【訂正対象項目名】００８１
【訂正方法】変更
【訂正の内容】
【００８１】
試料が複数個の細胞あるいはウイルスを含む場合、試料内のそれら細胞は、微細加工デバイスに適用された後で溶解されて、核酸分子を放出し得る。細胞は、例えばアルカリ性曝露のような化学処理、洗剤、音波処理、タンパク質分解酵素Ｋあるいはリゾチーム曝露を使って細胞を溶解し得る。細胞は、加熱によっても溶解され得る。
【誤訳訂正２】
【訂正対象書類名】明細書
【訂正対象項目名】０１８７
【訂正方法】変更
【訂正の内容】
【０１８７】
この考えを論証する1例として、２つの生物種を含む試料の単純な実例、即ち表６に示す様に、１つの生物種は毎日倍増し、もう一つの生物種は1週間毎に倍増するものとする、を考察する。晩成種が初めは相対存在度が5％と希少であるとすると、両生物種が増殖するにつれてそれは直ぐに非常に希少となる。
【表６】
2019520825.tif 000001
【誤訳訂正３】
【訂正対象書類名】明細書
【訂正対象項目名】０１８８
【訂正方法】変更
【訂正の内容】
【０１８８】
早成種が栄養素を奪い合うことおよび/または増殖用の物理的空間によって制限を受けるとすると、その時には表７に示す様に、ある時間が経過した後で晩成種の相対存在度が増加し始めている。
【表７】
2019520825.tif 000002
（バイオバンク細胞用高密度微細加工アレイ）
【誤訳訂正４】
【訂正対象書類名】明細書
【訂正対象項目名】０１８９
【訂正方法】変更
【訂正の内容】
【０１８９】
バイオバンクは、例えば疾患関連の生物標識発見のような或るタイプの研究を推進する為に大きな個体群から多数の試料を研究者が入手する道を開くように設計されている。ビイオバンキングにおける技術の現状は、管あるいは、例えば96-ウェルまたは384-ウェルプレートのような、低密度プレート形態に保管すべき試料に備えている。これは、仕込まれるべき試料の数が比較的小さく且つ試料自体が離散、孤立性の固体群である時に機能する。バイオバンキングへの既存の取り組み方では、微生物試料のような試料を保管する時に複雑で非能率的となり、そこでは試料の数が多い場合があり、各試料内の異なる種または変種の数が１試料当たり数百から数千あるいは数百万に及ぶ場合もある。既存の方法を使うとすると、所望の種あるいは変種を入手するために保管ステップに先立つあるいは後に続くかのいずれかで個々の種あるいは変種を分離するために骨の折れる隔離プロトコルが実施されなければならない。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
被処理物を収納し、かつ不透過性フィルムを使って真空形成が可能な真空ラッパーと、
前記真空ラッパーに滅菌剤を注入する滅菌剤提供部と、を備え、
前記真空ラッパーの連結部材が、前記滅菌剤を直接注入されて排気する経路であることを特徴とする滅菌装置。
【請求項２】
前記真空ラッパーがロードされる真空コンテナと、
前記真空コンテナの内部空気及び前記真空ラッパーの内部空気を排気する真空ポンプと、をさらに備え、
前記真空ラッパーの内部空気が排気される際に、前記真空ラッパーに注入された前記滅菌剤が排気されることを特徴とする請求項１に記載の滅菌装置。
【請求項３】
前記真空ラッパーの内部で前記滅菌剤が拡散される空間が提供されることにより、前記真空ラッパーの内部圧力よりも前記真空コンテナの内部圧力がさらに低く制御されることを特徴とする請求項２に記載の滅菌装置。
【請求項４】
前記真空ラッパーから前記滅菌剤を排気するために、排気された空気を選択的に浄化することを特徴とする請求項１に記載の滅菌装置。
【請求項５】
前記真空コンテナから排気された空気を浄化せず、前記真空ラッパーから排気された空気を浄化することで選択的浄化が行われることを特徴とする請求項２に記載の滅菌装置。
【請求項６】
前記排気された空気に含まれる前記滅菌剤を浄化するために、前記排気された空気をプラズマ放電を用いて分解することを特徴とする請求項２に記載の滅菌装置。
【請求項７】
前記被処理物を加熱するために前記真空ラッパーを加熱するヒータを備え、
前記被処理物の効果的な昇温のために前記真空ラッパーと前記真空コンテナとの圧力差を用いて前記真空ラッパーを収縮させることを特徴とする請求項２に記載の滅菌装置。
【請求項８】
前記真空ラッパーは、前記滅菌剤が注入された後、前記真空コンテナとの圧力差によって収縮して前記滅菌剤の濃度を高めるか、または前記滅菌剤の流れを効率的にすることを特徴とする請求項２に記載の滅菌装置。
【請求項９】
前記真空コンテナの内部圧力を増加させるために空気を注入する空気注入部と、をさらに備え、
前記空気注入部は、外部空気を提供されてフィルタするエアフィルタを備えて構成されることを特徴とする請求項２に記載の滅菌装置。
【請求項１０】
前記真空ラッパーは、前記空気注入部を通じて空気を注入されることを特徴とする請求項９に記載の滅菌装置。
【請求項１１】
前記エアフィルタは、前記外部空気から粒子及び細菌を除去することができるＨＥＰＡ（Ｈｉｇｈ Ｅｆｆｉｃｉｅｎｃｙ  Ｐａｒｔｉｃｕｌａｔｅ  Ａｉｒ）フィルタであることを特徴とする請求項９に記載の滅菌装置。
【請求項１２】
前記滅菌剤を加熱して気化させる気化器を備え、
前記気化器の第１連結端は前記連結部材に連結され、前記気化器の第２連結端は前記真空ポンプに連結され、
前記第２連結端と前記真空ポンプとの間に第１バルブを持つことを特徴とする請求項２に記載の滅菌装置。
【請求項１３】
前記第２連結端には外部空気注入部が連結され、
前記第２連結端と前記外部空気注入部との間に第２バルブを持つことを特徴とする請求項１２に記載の滅菌装置。
【請求項１４】
被処理物を収納して密封した真空ラッパーを真空コンテナにロードする段階と、
前記真空コンテナ及び前記真空ラッパーを排気する段階と、
前記真空コンテナ内に配置されて真空状態に維持された前記真空ラッパーに滅菌剤を注入する段階と、
前記真空コンテナを大気圧にベントする段階と、を含むことを特徴とする滅菌方法。
【請求項１５】
前記真空コンテナ内に配置された状態で前記真空ラッパーから注入された滅菌剤を排気する段階をさらに含むことを特徴とする請求項１４に記載の滅菌方法。
【請求項１６】
前記真空ラッパーは真空形成が可能な不透過性材質に形成されたことを特徴とする請求項１４に記載の滅菌方法。
【請求項１７】
前記真空ラッパーは、前記滅菌剤を注入して内部のガスを排気するための連結部材を備えることを特徴とする請求項１４に記載の滅菌方法。
【請求項１８】
前記真空ラッパーに滅菌剤が供給された状態で、前記真空ラッパーの圧力は前記真空コンテナの圧力よりも高いことを特徴とする請求項１４に記載の滅菌方法。
【請求項１９】
前記真空ラッパーで前記滅菌剤が排気する過程で、前記真空ラッパーの圧力は前記真空コンテナの圧力よりも高いか、または同一であることを特徴とする請求項１４に記載の滅菌方法。
【請求項２０】
前記真空ラッパー及び前記真空コンテナの圧力を独立的に制御して前記真空ラッパーの体積を制御する段階をさらに含むことを特徴とする請求項１４に記載の滅菌方法。
【請求項２１】
前記体積を制御する段階は、前記真空ラッパーの圧力を前記真空コンテナの圧力よりも高めて前記真空ラッパーが膨張し、前記滅菌剤が注入または排気されるのに必要な経路が確保されることを含む段階であることを特徴とする請求項２０に記載の滅菌方法。
【請求項２２】
前記真空コンテナの内部に設けられたヒータによって前記真空ラッパーは５０℃以上に加熱されることを特徴とする請求項１４に記載の滅菌方法。
【請求項２３】
前記滅菌剤は、濃度５０重量パーセント以上の過酸化水素であることを特徴とする請求項１４に記載の滅菌方法。
【請求項２４】
前記真空ラッパーから前記滅菌剤を排気するために排気された空気を選択的に浄化するために、前記真空コンテナから排気された空気を浄化せず、前記真空ラッパーから排気された空気を浄化する段階をさらに含むことを特徴とする請求項１５に記載の滅菌方法。
【請求項２５】
前記排気された空気に含まれた前記滅菌剤を浄化するために、前記排気された空気をプラズマ放電を用いて分解することを特徴とする請求項２４に記載の滅菌方法。
【請求項２６】
前記真空ラッパーの内部圧力を前記真空コンテナの内部圧力よりも低く制御することで前記真空ラッパーを収縮させ、収縮させた前記真空ラッパーに外部空気を注入させて前記被処理物の効果的な昇温ができるようにすることを特徴とする請求項２０に記載の滅菌方法。
【請求項２７】
前記真空コンテナに外部空気を供給する際に、前記外部空気から粒子及び細菌を除去することができるＨＥＰＡ（Ｈｉｇｈ  Ｅｆｆｉｃｉｅｎｃｙ  Ｐａｒｔｉｃｕｌａｔｅ  Ａｉｒ）フィルタを通じてフィルタリングした空気を注入する段階をさらに含むことを特徴とする請求項１４に記載の滅菌方法。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
音響信号の電子表示を生じるように構成配置した変換器と、
前記電子表示をデジタル信号に変換するアナログ‐デジタルコンバータと、
前記デジタル信号に基づく第１の一連のパケットを生ぜしめるコーデック、及び、受信した第２の一連のパケットをデジタルステレオ信号に変換するデコーダを含むコントローラと、
前記デジタルステレオ信号を、一組のヘッドフォンに送信するのに適したステレオアナログ信号に変換するデジタル‐アナログコンバータと、
ブルートゥースの対を成すデバイスとの間でブルートゥースの対をなす接続を提供するように配置構成されたブルートゥーストランシーバと
を備え、
前記コントローラは、
前記ブルートゥーストランシーバを通して、前記ブルートゥースの対を成すデバイスとのブルートゥースの対を成す接続を達成し、
前記ブルートゥースの対を成す前記デバイスとのアドバンスド・オーディオ・ディストリビューション・プロファイル（Ａ２ＤＰ）接続を達成して前記ブルートゥースの対を成すデバイスから前記デコーダに対する前記受信した第２の一連のパケットを受信するようにし；且つ
前記受信した第２の一連のパケットを前記一組のヘッドフォンに送信するために復号化している時と同時に、前記デジタル信号に基づく前記第１の一連のパケットを、前記ブルートゥースの対を成す前記デバイスに送信するために前記ブルートゥースの対を成す前記デバイスとのシリアルポートプロファイル（ＳＰＰ）接続を達成する
ように構成配置されたブルートゥースマイクロフォン。
【請求項２】
請求項１に記載のブルートゥースマイクロフォンが更に、前記マイクロフォンが前記Ａ２ＤＰ及びＳＰＰ接続の各々を確立する準備ができていることを、対を成す前記デバイスにシグナリングするアクチュエータを具えているブルートゥースマイクロフォン。
【請求項３】
請求項１に記載のブルートゥースマイクロフォンが更に、前記音響信号を録音するための所望の音量を指示する音量コントローラを具えているブルートゥースマイクロフォン。
【請求項４】
請求項１に記載のブルートゥースマイクロフォンが更に、ヘッドフォンジャックを収容するとともに前記ステレオアナログ信号を前記ヘッドフォンに送信するヘッドフォンポートを具えているブルートゥースマイクロフォン。
【請求項５】
請求項１に記載のブルートゥースマイクロフォンが更に、ＵＳＢリード線を収容するＵＳＢソケットを具え、前記ＵＳＢソケットはＵＳＢリード間で前記ブルートゥースマイクロフォンを充電するための再充電可能バッテリに動作的に接続されるようになっているブルートゥースマイクロフォン。
【請求項６】
請求項１に記載のブルートゥースマイクロフォンにおいて、前記アナログ‐デジタルコンバータは、８kHz 〜１９２kHz の範囲内で前記音響信号をサンプリングするように構成配置されているブルートゥースマイクロフォン。
【請求項７】
請求項１に記載のブルートゥースマイクロフォンにおいて、前記アナログ‐デジタルコンバータは、８ビット〜３２ビット間の解像度のデジタル表示を生じるように構成配置されているブルートゥースマイクロフォン。
【請求項８】
請求項１に記載のブルートゥースマイクロフォンにおいて、前記コーデックは、前記デジタル信号をＡＡＣ、ＭＰ３、ＷＭＡ及びaptＸ フォーマットの内の１つのフォーマットで符号化するように構成配置されているブルートゥースマイクロフォン。
【請求項９】
請求項１に記載のブルートゥースマイクロフォンにおいて、前記コントローラはバッファを有し、前記デジタル信号に基づく前記第１の一連のパケットは、前記ブルートゥースの対を成す前記デバイスとの通信を利用しうる際に前記バッファを介して前記ブルートゥースの対を成す前記デバイスに送信されるようになっているブルートゥースマイクロフォン。
【請求項１０】
請求項１に記載のブルートゥースマイクロフォンと、コンピュータ実行可能コードを備えるコンピュータ可読媒体とを有するシステムであって、コンピュータ実行可能コードは、ブルートゥース対応のコンピューティングデバイスに対して実行された際に該コンピューティングデバイスが、
前記ブルートゥースマイクロフォンとの対を成す接続を達成し、
前記ブルートゥースマイクロフォンとのアドバンスド・オーディオ・ディストリビューション・プロファイル（Ａ２ＤＰ）接続を達成して、前記デコーダに対する前記第２の一連のパケットを前記ブルートゥースマイクロフォンに送信するようにし、
前記ブルートゥースマイクロフォンとのシリアルポートプロファイル（ＳＰＰ）接続を達成し、前記第２の一連のパケットを前記ブルートゥースマイクロフォンに送信しているのと同時に前記ブルートゥースマイクロフォンから前記第１の一連のパケットを受信するようにした
システム。
【請求項１１】
請求項１０に記載のシステムにおいて、前記コンピュータプログラムコードは、前記Ａ２ＤＰ接続を介して前記ブルートゥースマイクロフォンにストリーミングすべきオーディオファイルをユーザが選択しうるようにするインタフェースを提供するように構成配置されているシステム。
【請求項１２】
請求項１１に記載のシステムにおいて、前記コンピュータプログラムコードは、前記Ａ２ＤＰ接続及び前記ＳＰＰ接続の各々をユーザが開始して、選択した前記オーディオファイルのストリーミングを開始しうるようにするとともに、前記ブルートゥースマイクロフォンからの前記第１の一連のパケットの受信を開始しうるようにするインタフェースを提供するように構成配置されているシステム。
【請求項１３】
請求項１１に記載のシステムにおいて、前記コンピュータプログラムコードは、受信した前記第１の一連のパケットをオーディオファイルとして記憶するように構成配置されているシステム。
【請求項１４】
請求項５に記載のブルートゥースマイクロフォンにおいて、前記ＵＳＢソケットは前記コントローラに接続されている前記ＵＳＢソケットのマイクロフォンピンを備え、前記コントローラは、電力が前記ＵＳＢソケットを介して前記マイクロフォンに供給されていることを検出するのに応答して、前記音響信号の電子表示を前記ＵＳＢソケットのマイクロフォンピンに供給するようになっているブルートゥースマイクロフォン。
【手続補正２】
【補正対象書類名】明細書
【補正対象項目名】００２７
【補正方法】変更
【補正の内容】
【００２７】
Ａ／Ｄコンバータ１６は、例えば、８kHz 〜１９２kHz のサンプリング周波数の範囲内で、特に１２kHz 、１６kHz 、３２kHz 、４４．１kHz 、４８kHz 及び９６kHz のような標準の周波数で且つ８、１２、１６、２４又は３２ビットのビット精度で動作しうる。通常、コーデック１８は、ＡＡＣ、ＭＰ３、ＷＭＡ、aptＸ 等のような標準の符号化フォーマットで一定数の取得ポイントを符号化する。例えば、４４．１kHz の取得レート及び１６ビットの精度の場合、代表的に１１５２個の取得ポイントがグループとして符号化される。ＭＰ３フォーマットを用いる場合、これらの取得ポイントが符号化データの１フレーム分となる。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ＷｉＦｉネットワークにアクセスするための方法であって、前記方法は端末に適用され、前記端末は、Ｎ個のＷｉＦｉアクセス回路及び少なくとも１つのプロセッサを備え、前記少なくとも１つのプロセッサは、コンテナを形成するためにソフトウェアプログラムを実行するように構成され、前記コンテナは、第１ＷｉＦｉネットワークへのアクセスサービス及び第２ＷｉＦｉネットワークへのアクセスサービスの両方をサポートし、前記方法は、
前記端末が、前記第１ＷｉＦｉネットワークにアクセスするためのアクセス要求を受信したとき、前記Ｎ個のＷｉＦｉアクセス回路のうち第１ＷｉＦｉアクセス回路を使用することによって、前記第１ＷｉＦｉネットワークにアクセスする段階と、
前記第１ＷｉＦｉアクセス回路を使用して前記第１ＷｉＦｉネットワークにアクセスするという状況下で、前記端末が、前記第２ＷｉＦｉネットワークにアクセスするためのアクセス要求を受信した場合、前記端末が、前記Ｎ個のＷｉＦｉアクセス回路のうち第２ＷｉＦｉアクセス回路を使用することによって、前記第２ＷｉＦｉネットワークにアクセスする段階と、
前記端末が、第１ＷｉＦｉネットワークアクセス識別子及び第２ＷｉＦｉネットワークアクセス識別子を、前記コンテナに対応する表示インタフェースに同期させて表示させる段階であって、前記第１ＷｉＦｉネットワークアクセス識別子は、前記第１ＷｉＦｉネットワークがアクセスされることを表し、前記第２ＷｉＦｉネットワークアクセス識別子は、前記第２ＷｉＦｉネットワークがアクセスされることを表す、段階と
を備え、
Ｎは２以上の自然数である、
方法。
【請求項２】
前記端末が、前記第１ＷｉＦｉネットワークの接続信号強度、及び、前記第２ＷｉＦｉネットワークの接続信号強度を前記表示インタフェースに同期させて表示する段階を更に備える、請求項１に記載の方法。
【請求項３】
前記端末が、前記第１ＷｉＦｉネットワーク及び前記第２ＷｉＦｉネットワークにアクセスする前記段階の後に、前記方法は更に、
前記端末が、検出された、ユーザによって入力されたＷｉＦｉネットワーク接続方式に従って、前記第１ＷｉＦｉネットワーク又は前記第２ＷｉＦｉネットワークのうちの少なくとも１つを選択して、データサービスを搬送させる段階
を備える、請求項１又は２に記載の方法。
【請求項４】
前記端末は更にＷｉＦｉプロセッサを備え、前記方法は更に、
前記端末の前記ＷｉＦｉプロセッサが、前記第１ＷｉＦｉネットワーク及び前記第２ＷｉＦｉネットワークへのアクセスに関する、チャネルリソーススケジューリング、媒体アクセス制御、又は、暗号化／復号化のうちの少なくとも１つを実行する段階
を備える、請求項１から３のいずれか一項に記載の方法。
【請求項５】
前記コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、請求項１から４のいずれか一項に記載の方法。
【請求項６】
前記コンテナは、オペレーティングシステムの少なくとも一部を含む、請求項１から５のいずれか一項に記載の方法。
【請求項７】
ワイヤレスフィデリティＷｉＦｉネットワークにアクセスするための装置であって、前記装置は、第１ＷｉＦｉネットワークへのアクセスサービス及び第２ＷｉＦｉネットワークへのアクセスサービスの両方をサポートするコンテナと、ＷｉＦｉモジュールとを備え、前記コンテナは表示モジュールを含み、
前記ＷｉＦｉモジュールは、前記第１ＷｉＦｉネットワークにアクセスするためのアクセス要求が受信されたとき、第１ＷｉＦｉアクセス回路を使用することによって前記第１ＷｉＦｉネットワークにアクセスするように構成され、更に、前記第１ＷｉＦｉアクセス回路を使用して前記第１ＷｉＦｉネットワークにアクセスするという状況下で、前記第２ＷｉＦｉネットワークにアクセスするためのアクセス要求が受信されたとき、第２ＷｉＦｉアクセス回路を使用することによって前記第２ＷｉＦｉネットワークにアクセスするように構成され、
前記表示モジュールは、前記ＷｉＦｉモジュールが前記第１ＷｉＦｉネットワーク及び前記第２ＷｉＦｉネットワークにアクセスした後に、第１ＷｉＦｉネットワークアクセス識別子及び第２ＷｉＦｉネットワークアクセス識別子を、前記コンテナに対応する表示インタフェースに同期させて表示するように構成され、前記第１ＷｉＦｉネットワークアクセス識別子は、前記第１ＷｉＦｉネットワークがアクセスされることを表し、前記第２ＷｉＦｉネットワークアクセス識別子は、前記第２ＷｉＦｉネットワークがアクセスされることを表す、
装置。
【請求項８】
前記表示モジュールは更に、前記第１ＷｉＦｉネットワークの接続信号強度及び前記第２ＷｉＦｉネットワークの接続信号強度を前記表示インタフェースに同期させて表示するように構成される、請求項７に記載の装置。
【請求項９】
前記装置又は前記コンテナは更に、サービス分配モジュールを含み、前記サービス分配モジュールは、前記ＷｉＦｉモジュールが前記第１ＷｉＦｉネットワーク及び前記第２ＷｉＦｉネットワークにアクセスした後に、検出された、ユーザによって入力されたＷｉＦｉネットワーク接続方式に従って、前記第１ＷｉＦｉネットワーク又は前記第２ＷｉＦｉネットワークのうちの少なくとも１つを選択して、データサービスを搬送させるように構成される、請求項７又は８に記載の装置。
【請求項１０】
前記ＷｉＦｉモジュールは更に、前記第１ＷｉＦｉネットワーク及び前記第２ＷｉＦｉネットワークへのアクセスに関する、チャネルリソーススケジューリング、媒体アクセス制御、又は、暗号化／復号化のうちの少なくとも１つを実行するように構成される、請求項７から９のいずれか一項に記載の装置。
【請求項１１】
前記コンテナは、対応するＷｉＦｉネットワークアクセスサービスのユーザインタフェース機能、アクセスポイント起動状態の維持、又は、局ピアツーピアネットワーク起動状態の維持のうちの少なくとも１つを実装するように構成される、請求項７から１０のいずれか一項に記載の装置。
【請求項１２】
前記コンテナは、オペレーティングシステムの少なくとも一部を含む、請求項７から１１のいずれか一項に記載の装置。
【請求項１３】
請求項１から６のいずれか一項に記載の方法を実行するためのコンピュータプログラム命令を記憶するコンピュータ可読記憶媒体。
【請求項１４】
請求項１から６のいずれか一項に記載の方法を実行するためのコンピュータプログラム命令を含むコンピュータプログラム。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
ユーザーが補聴器を着用する際、補聴器の少なくとも一部は耳に挿入される該補聴器の強度歪及び位相歪を補正する方法であって、該方法は、
前記補聴器が耳内にある時、補聴器の挿入効果を決定する工程であって、該挿入効果は、強度レスポンス及び位相レスポンスを持った複雑な挿入伝達関数（ＩＴＦ）を特徴とする該工程；
前記ＩＴＦの強度レスポンス及び位相レスポンスの両者を補正することにより、前記挿入効果に対し補正する工程であって、前記位相レスポンスが最小位相である場合、位相レスポンスだけ補正される該工程；
を含む前記方法。
【請求項２】
挿入効果が少なくとも１つの２次最小位相フイルターで補正される請求項１に記載の方法。
【請求項３】
前記２次最小位相フイルターが無限インパルスレスポンス（ＩＩＲ）フイルターである請求項２に記載の方法。
【請求項４】
前記２次最小位相フイルターが４次（biquad）フイルターである請求項２に記載の方法。
【請求項５】
挿入効果が複数の２次最小位相フイルターで補正される請求項１に記載の方法。
【請求項６】
前記複数の２次最小位相フイルターが複数の無限インパルスレスポンス（ＩＩＲ）フイルターである請求項５に記載の方法。
【請求項７】
前記複数の２次最小位相フイルターが複数の４次フイルターである請求項５に記載の方法。
【請求項８】
耳内に補聴器がない場合、耳から鼓膜への音の経路は複雑な頭部伝達関数（ＨＲＴＦ）を特徴とし、前記挿入効果に対し補正する工程が前記ＩＴＦの強度レスポンス及び位相レスポンスを補正するために所望の均等化を決定する工程であって、該均等化は複雑な頭部伝達関数（ＨＲＴＦ）及び複雑な挿入伝達関数（ＩＴＦ）から決定され、所望均等化の強度及び位相はＨＲＴＦ：ＩＴＦの比である該工程を含む請求項１に記載の方法。
【請求項９】
複雑なＨＲＴＦは、人体解剖模型の複雑なＨＲＴＦを測定することにより決定される請求項８に記載の方法。
【請求項１０】
複雑なＨＲＴＦは、補聴器ユーザーの複雑なＨＲＴＦを測定することにより決定される請求項８に記載の方法。
【請求項１１】
複雑なＩＴＦは、人体解剖模型の耳上にある補聴器の複雑なＩＴＦを測定することにより決定される請求項８に記載の方法。
【請求項１２】
複雑なＩＴＦは、ユーザーが着用した時の補聴器の複雑なＩＴＦを測定することにより決定される請求項８に記載の方法。
【請求項１３】
前記挿入効果に対し補正する工程が、前記ＩＴＦの強度レスポンス及び位相レスポンスを補正するための所望の均等化を決定する工程であって、所望の均等化は、音を言葉で言う（in describing sound）際に経験したユーザーにより主観的に決定され、ユーザーは、補聴器を着用した時に聞いた音を補聴器なしで聞いたほぼ同じ音と比較し、これら２つの音間に認識される差がない時は均等化が達成される該工程を含む請求項１に記載の方法。
【請求項１４】
補聴器の強度レスポンス及び位相レスポンスが既知ならば、これらの強度及び位相レスポンスを補正するための均等化は、最小位相である位相レスポンスの全ての部分について計算される請求項８に記載の方法。
【請求項１５】
位相レスポンスが最小位相である場合は、所望の位相補正が達成されるまで、異なる最小位相フイルタリングが繰返し補聴器に導入される請求項８に記載の方法。
【請求項１６】
補聴器は音響周波数内のスペクトルを増幅し、且つ補聴器は増幅音の待ち時間（latency）が、補聴器で生じた最高周波数の約１２０度未満の位相に相当するように構成された請求項１に記載の方法。
【請求項１７】
補聴器の待ち時間（latency）が補聴器で生じた最高周波数期間の約１／３未満である請求項１に記載の方法。
【請求項１８】
ユーザーが着用した時、少なくとも一部は耳に挿入される補聴器であって、該補聴器の着用時、強度レスポンス及び位相レスポンスを持った複雑な挿入伝達関数（ＩＴＦ）を特徴とする挿入効果が生じる、前記補聴器における強度歪及び位相歪を補正する方法であって，該方法は、
着用時の補聴器の待ち時間が該補聴器で増幅された最高周波数期間の約１／３未満となるように補聴器を構成する工程；
複雑なＩＴＦの強度レスポンスに対して補正する工程；及び
位相レスポンスが最小位相である場合はいつでも複雑なＩＴＦの位相レスポンスに対して補正する工程；
を含む前記方法。
【請求項１９】
複雑なＩＴＦの強度レスポンス及び位相レスポンスが、少なくとも１つの最小位相２次フイルターを用いて補正される請求項１８に記載の方法。
【請求項２０】
前記最小位相２次フイルターが無限インパルスレスポンス（ＩＩＲ）フイルターである請求項１９に記載の方法。
【請求項２１】
前記最小位相２次フイルターが４次フイルターである請求項１９に記載の方法。
【請求項２２】
補聴器の待ち時間が、補聴器を通過する音の周波数依存位相遅れを生じ、ＩＴＦの位相レスポンス及び周波数依存位相の遅れが既知ならば、位相補正は、最小位相である位相レスポンスの全ての部分に対して計算される請求項１８に記載の方法。
【請求項２３】
異なる最小位相フイルタリングは、所望の補正が達成されるまで、位相レスポンスが最小位相である補聴器に繰返し導入される請求項１８に記載の方法。
【請求項２４】
ユーザーが着用した時、少なくとも一部は耳に挿入され、且つ１つ以上の選択された周波数バンドに増幅音を生じさせる補聴器であって、該補聴器は、
マイクロホン；
耳に挿入可能のスピーカーであって、補聴器を着用した時のマイクロホンとスピーカー間の距離は、補聴器の待ち時間が補聴器で増幅された最大波長期間の約１／３未満となるように選択される該スピーカー；及び
マイクロホンとスピーカー間に設けた処理器；
を備え、補聴器の少なくともスピーカーは補聴器を耳に挿入した時、強度レスポンス及び位相レスポンスを有する複雑な挿入伝達関数（ＩＴＦ）を特徴とする挿入効果を創生し、前記処理器はＩＴＦの強度レスポンス及び位相レスポンスの両者、但し位相レスポンスは最小位相である場合のみ、を補正することにより、挿入効果に対して補正するように構成された前記補聴器。
【請求項２５】
前記処理器が少なくとも１つの最小位相２次フイルターを有し、該最小位相２次フイルターは複雑なＩＴＦの強度レスポンス及び位相レスポンスを補正するために使用される請求項２４に記載の補聴器。
【請求項２６】
前記最小位相２次フイルターが無限インパルスレスポンス（ＩＩＲ）フイルターである請求項２５に記載の補聴器。
【請求項２７】
前記最小位相２次フイルターが４次フイルターである請求項２５に記載の補聴器。
【手続補正書】
【提出日】令和1年10月25日(2019.10.25)
【手続補正１】
【補正対象書類名】特許請求の範囲
【補正対象項目名】請求項１２
【補正方法】変更
【補正の内容】
【請求項１２】
前記少なくとも１種の架橋性成分Ａは、少なくとも２個の官能基を有する化合物であることを特徴とする、請求項８〜１１のいずれか一項に記載の硬化性材料。
【手続補正２】
【補正対象書類名】特許請求の範囲
【補正対象項目名】請求項１５
【補正方法】変更
【補正の内容】
【請求項１５】
前記少なくとも１種の第２の成分Ｂは、少なくとも２個の官能基を有する化合物であることを特徴とする、請求項８〜１４のいずれか一項に記載の硬化性材料。
【手続補正３】
【補正対象書類名】特許請求の範囲
【補正対象項目名】請求項１７
【補正方法】変更
【補正の内容】
【請求項１７】
前記少なくとも１種の第３の成分Ｃは、少なくとも２個の官能基を有する化合物であることを特徴とする、請求項８〜１６のいずれか一項に記載の硬化性材料。
【手続補正書】
【提出日】令和1年7月10日(2019.7.10)
【手続補正１】
【補正対象書類名】明細書
【補正対象項目名】発明の名称
【補正方法】変更
【補正の内容】
【発明の名称】工学的に作成したヌクレオチド配列の改善された大規模産生のための、微生物株設計システムおよび方法
【手続補正書】
【提出日】令和1年7月18日(2019.7.18)
【手続補正１】
【補正対象書類名】明細書
【補正対象項目名】００４４
【補正方法】変更
【補正の内容】
【００４４】
具体的な例では、流体注入システムは、米国特許第５，３８３，８５８号明細書、米国特許第７，５５３，２９４号明細書、米国特許第７，６６６，１６９号明細書、米国特許第９，１７３，９９５号明細書、米国特許第９，１９９，０３３号明細書、および国際出願第PCT／US１２／３７４９１号パンフレット、国際出願第PCT／US１５／１０８２５パンフレット、国際出願第PCT／US１５／２７５８２パンフレット、国際出願第PCT／US１６／２８８２４パンフレット、国際出願第PCT／US１６／３４１４０パンフレット、および米国特許出願公開第２０１４／００２７００９号明細書および米国特許出願第１４／９２５，７２２号明細書、および米国仮出願第６２／２５９，７０８号明細書、米国仮出願第６２／２５９，８９１号明細書、米国仮出願第６２／２５９，９０６号明細書に開示された注入器の様々な例と類似の前面装填流体注入システムであってもよく、これらの開示内容全体は参照により本明細書に組み込まれる。他の例は、本明細書に記載されるインターフェースの様々な例を含むように設計された、新しい流体注入器システムを含み得る。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
ブリスタパックであって、
無菌の保持領域と
無菌の眼科手術器具と、
前記無菌の眼科手術器具の無菌状態を保ちながらの前記無菌の眼科手術器具の制御された除去のための、前記ブリスタパックの裏の少なくとも１つの点と
を含むブリスタパック。
【請求項２】
前記点が圧点である、請求項１に記載のブリスタパック。
【請求項３】
前記点が可動の突起である、請求項１に記載のブリスタパック。
【請求項４】
前記可動の突起が着脱可能である、請求項３に記載のブリスタパック。
【請求項５】
前記可動の突起が、回して外すことができる、請求項３に記載のブリスタパック。
【請求項６】
前記可動の突起が作動させられ得る、請求項３に記載のブリスタパック。
【請求項７】
前記無菌の眼科手術器具がレンズである、請求項２に記載のブリスタパック。
【請求項８】
前記無菌の眼科手術器具がレンズである、請求項３に記載のブリスタパック。
【請求項９】
前記圧点の印が付けられている、請求項２に記載のブリスタパック。
【請求項１０】
１番目に使用されるべきであることを示すために印が付けられた第１圧点と、
２番目に使用されるべきであることを示すために印が付けられた第２圧点と
をさらに含む、請求項４に記載のブリスタパック。
【請求項１１】
無菌の眼科手術器具をブリスタパックから除去するための方法であって、
前記ブリスタパックから保護層を除去するステップと、
前記ブリスタパックを逆さにするステップと、
前記ブリスタパックを無菌の表面上に置くステップと、
前記ブリスタパックの裏の少なくとも１つの画定された圧点に圧力をかけるステップと、
前記眼科手術器具が依然として無菌である状態で前記ブリスタパックを除去するステップと
を含む方法。
【請求項１２】
前記無菌の眼科手術器具がレンズである、請求項１１に記載の方法。
【請求項１３】
前記圧点の印が付けられている、請求項１１に記載の方法。
【請求項１４】
前記ブリスタパックの前記裏の少なくとも１つの画定された圧点に圧力をかける前記ステップが、
１番目に使用されるべきであることを示すために印が付けられた第１圧点を押すことと、
２番目に使用されるべきであることを示すために印が付けられた第２圧点を押すことと
を含む、請求項１３に記載の方法。
【請求項１５】
前記圧点が可動の突起である、請求項１１に記載の方法。
【請求項１６】
前記ブリスタパックの前記裏の少なくとも１つの画定された圧点に圧力をかけるステップが、前記突起を引き寄せることを含む、請求項１５に記載の方法。
【請求項１７】
前記ブリスタパックの前記裏の少なくとも１つの画定された圧点に力をかけるステップが、前記突起を回して外すことを含む、請求項１５に記載の方法。
【請求項１８】
前記ブリスタパックの前記裏の少なくとも１つの画定された圧点に圧力をかけるステップが、前記突起を作動させることを含む、請求項１５に記載の方法。
【請求項１９】
前記無菌の眼科手術器具がレンズである、請求項１５に記載の方法。
【請求項２０】
前記ブリスタパックの前記裏の少なくとも１つの画定された圧点に圧力をかける前記ステップが、
１番目に使用されるべきであることを示すために印が付けられた第１突起を動かすことと、
２番目に使用されるべきであることを示すために印が付けられた第２突起を動かすことと
を含む、請求項１５に記載の方法。
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
先端部（２５）に主切刃（２７）を有し、かつ、ねじ切りのための切削歯（４１、４２、４３）を備えたねじ形状部（２９）をタッピング方向（Ｉ）に続けて有するタッピングツール（２３）を用いて、工作物（５）にねじ穴（１）を形成するための方法であり、
タッピングストローク（Ｇ）において、主切刃（２７）は下穴を形成し、同時にねじ形状部（２９）は、タッピング方向（Ｉ）に沿ったタッピングツール（２３）のタッピング送り（ｆＧ）およびこれに同期したタッピング回転速度（ｎＧ）で、目標ねじ深さ（ｔＧ）に達するまで下穴の内壁にめねじ（９）を形成し、
タッピングストローク（Ｇ）の後に反対方向の反転ストローク（Ｒ）を行い、そのときに、ねじ形状部（２９）を、めねじ（９）のねじ部（１５）により案内して、タッピングツール（２３）を後退送り（ｆＲ）とそれに同期した後退の回転速度（ｎＲ）でねじ穴から逆方向（ＩＩ）に取り出すに際し、
タッピングストローク（Ｇ）と反転ストローク（Ｒ）との間に、タッピング方向（Ｉ）のタッピングストローク（Ｇ）を溝形成ストローク（Ｎ）により延長して、めねじ（９）に続いて、ねじ形状部（２９）が無負荷で回転することができる、ねじピッチを有しない周方向溝（１３）を形成する溝加工工程を実行することを特徴とするねじ穴の形成方法。
【請求項２】
溝加工工程において、タッピング方向（Ｉ）に沿って、目標ねじ深さ（ｔＧ）を超えて目標穴深さ（ｔＢ）に達するように、タッピングツール（２３）を、タッピング送り（ｆＧ）およびタッピング回転速度（ｎＧ）と、互いに同期していない、および／または、互いに相違した、溝加工の送り（ｆＮ）および溝加工の回転速度（ｎＮ）とで移動させることを特徴とする請求項１記載のねじ穴の形成方法。
【請求項３】
溝加工工程において、タッピングツール（２３）の、ねじ形状部（２９）を、ねじ穴（１）の周方向溝（１３）内に完全に収めて回転させることを特徴とする請求項１または２記載のねじ穴の形成方法。
【請求項４】
溝形成ストローク（Ｎ）において、ねじ形状を呈する、主切刃（２７）およびねじ形状の切削歯（４１、４２、４３）によって、周方向溝（１３）を形成することを特徴とする請求項１から３までのいずれか１項記載のねじ穴の形成方法。
【請求項５】
設定穴深さ（ｔＢ）に達すると、反転ストローク（Ｒ）において求められる逆方向の回転の準備のために、溝加工の送り（ｆＮ）を０に低減させるとともに、溝加工の回転速度（ｎＮ）を０に低減させることを特徴とする請求項２から４までのいずれか１項に記載のねじ穴の形成方法。
【請求項６】
反転ストローク（Ｒ）の開始時に、周方向溝（１３）に向けて開口するねじ出口（１１）において、ねじ形状の切削歯（４１、４２、４３）が、無負荷になるように、すなわち特に材料除去を行わないように、タッピングツール（２３）をコントロールすることを特徴とする請求項１から５までのいずれか１項記載のねじ穴の形成方法。
【請求項７】
タッピングストローク（Ｇ）と、溝形成ストローク（Ｎ）と、反転ストローク（Ｒ）との期間において、タッピングツール（２３）の回転軸（Ｂ）と、穴の長手方向の軸線（Ａ）とを互いに一致させることを特徴とする請求項１から６までのいずれか１項記載のねじ穴の形成方法。
【請求項８】
タッピングツールをねじ加工用の工具として使用し、そして前加工されたねじ穴を、仕上げ工具、またはねじ形成体、または螺旋ねじ形成体、または軸ねじ形成体として使用することができる前記仕上げ工具を用いて、後処理工程で再加工することを特徴とする請求項１から７までのいずれか１項記載のねじ穴の形成方法。
【請求項９】
タッピングツール自体を仕上げ工具として使用することを特徴とする請求項１から７までのいずれか１項記載のねじ穴の加工方法。
【請求項１０】
工作物（５）にねじ穴（１）を形成するためのタッピングツールであって、
締め付けシャンク（２４）とこれに隣接するタップ本体（２６）とを備え、
タップ本体（２６）の長手方向の軸線（Ａ）に沿って、先端部（２５）の先端主切刃（２７）に向けて少なくとも一つの溝（２８）を有し、
先端部（２５）において、主切刃（２７）と溝（２８）と切り屑逃がし部（３１）と先端部（２５）の逃げ面（３３）とが収束しており、
溝（２８）は、ツールの周方向において、少なくとも一つのビット（３５）と境界が設定されており、かつ溝（２８）の切り屑逃がし部（３１）は、ビット（３５）の周方向の背面（３７）に繋がっていて補助刃先（３６）を形成しており、
補助刃先（３６）と先端主切刃（２７）とが径方向外側の主切刃（３９）に収束しており、
ビット（３５）の周方向の背面（３７）がねじ形状部（２９）を有し、このねじ形状部（２９）には少なくとも一つの切削歯（４１、４２、４３）が形成されているタッピングツールにおいて、
ねじ形状の切削歯（４１、４２、４３）が径方向の外側の根元切削縁部（４５）を有し、この根元切削縁部（４５）は主切刃（３９）から径方向外向きに歯高さ（Δｒ）だけ突出しており、
切刃（４９）を有するタッピング工具（２３）を用いて、穴（１）の開口部に周方向のざぐり穴（７）を形成し、ざぐり穴（７）を溝形成ストローク中に形成することを特徴とするタッピングツール。
【手続補正２】
【補正対象書類名】明細書
【補正対象項目名】０００１
【補正方法】変更
【補正の内容】
【０００１】
本発明は、請求項１の前文に記載のねじ穴すなわち特にめくら構造のねじ穴の製造方法、およびこのような方法を実施するための請求項１０に記載のタッピングツールに関する。
【手続補正３】
【補正対象書類名】明細書
【補正対象項目名】０００８
【補正方法】変更
【補正の内容】
【０００８】
この目的は請求項１または１０の特徴によって解決される。本発明の好ましい実施形態は従属請求項に開示されている。